(57)【要約】【課題】均一一様な照明効果を有するＬＥＤ灯管均一光照明構造を提供する。【解決手段】１０管体と、該管体内部に収容設置され、照射面とヒートシンク面を有する回路板２０と、該回路板の照射面に敷設され、該回路板と電気接続する複数のＬＥＤ灯３０と、該回路板の照射面及び該管体が形成する収容空間に設置される光拡散板４０とから構成され、複数のＬＥＤ灯から発射する光を、光拡散板を介して被照射物体上に均一に分散照射し、且つ眩光及びＬＥＤ灯管を直視した時に生じる不快感を回避する。【選択図】図３
0003144929.tif 000002
【実用新案登録請求の範囲】
【請求項１】
透光性の材料からなる管体と、
該管体内部に収容設置され、両面がそれぞれ照射面とヒートシンク面を構成する回路板と、
該回路板の照射面に敷設され、該回路板と電気接続する複数のＬＥＤ灯と、
該回路板の照射面及び該管体との間に形成される収容空間において該照射面に相対して設置される光拡散板からなる均一光照明構造を具えたＬＥＤ灯管。
【請求項２】
前記管体が透光性を有するプラスチックから構成される請求項１記載の均一光照明構造を具えたＬＥＤ灯管。
【請求項３】
前記管体が該回路板のヒートシンク面を覆う両端面にそれぞれ複数のヒートシンク孔を開設する請求項１記載の均一光照明構造を具えたＬＥＤ灯管。
【請求項４】
前記管体の２つの末端が更にスライド可能にに套設される導体接続スリーブを含み、該２つの導体接合スリーブが該回路板と電気接続する請求項１記載の均一光照明構造を具えたＬＥＤ灯管。
【請求項５】
前記ＬＥＤ灯が間隔を置いて配列され、該回路板の照射面に設置される請求項１記載の均一光照明構造を具えたＬＥＤ灯管。
【請求項６】
前記光拡散板が平板状を呈する請求項１記載の均一光照明構造を具えたＬＥＤ灯管。
【請求項７】
前記光拡散板が半円筒状を呈する請求項１記載の均一光照明構造を具えたＬＥＤ灯管。
【考案の詳細な説明】
【技術分野】
【０００１】
本考案は、ＬＥＤ灯管に関し、特に、光拡散板を有するＬＥＤ灯管に関する。
【背景技術】
【０００２】
発光ダイオード(Light Emitting Diode, LED)は、低エネルギー消費、省電力、使用寿命が長い、体積が小さい、反応が速い等の利点を有し、徐々に従来の電球 に取って代わり、各種の発光装置中に応用されている。
【０００３】
ＬＥＤを一般の灯管に応用した構造は、図１に示すとおりであって、透光管体１０ａ内に回路板２０ａを取り付け、回路板２０ａ上に複数個のＬＥＤ灯３０ａを敷設し、透光管体１０ａの両端に金属の導体接続スリーブ４０ａを套設し、導体接続スリーブ４０ａ上に導電端子４０１ａを設け、ＬＥＤ灯管が両側の導電端子４０１ａを介して電電灯ソケットに挿入されて電源を導通させ、ＬＥＤ灯３０ａを発光させる。しかしながら、ＬＥＤ灯管光源は、複数のＬＥＤ灯３０ａから構成され、ＬＥＤ灯３０ａは、点状光源により透光管体１０ａ内から射出され、光線が非均等に物体上に分散照射し、明暗が不均一な状態を容易に形成する。また、使用者がＬＥＤ灯管を直視する時、眩光の状態を有し、眼に不快感を与える。
【特許文献１】特開２００２−３０４９０３号公報
【考案の開示】
【考案が解決しようとする課題】
【０００４】
本考案の目的は、光線を均一に被照射物体上に分散照射させるＬＥＤ灯管均一光照明構造を提供することである。
【０００５】
本考案のもう１つの目的は、眩光の状態の発生を回避するＬＥＤ灯管均一光照明構造を提供することである。
【課題を解決するための手段】
【０００６】
上記の目的を達成する為、本考案が提供するＬＥＤ灯管均一光照明構造は、管体と、該管体内部に収容設置され、照射面とヒートシンク面を有する回路板と、該回路板の照射面に敷設され、該回路板と電気接続する複数のＬＥＤ灯と、該回路板の照射面及び該管体が形成する収容空間に設置される光拡散板を含み、これにより、複数のＬＥＤ灯が発射する光を、光拡散板を介して被照射物体上に均一に分散照射し、且つ眩光及びＬＥＤ灯管を直視した時に生じる不快感を回避することができる。
【考案の効果】
【０００７】
本考案が提供するＬＥＤ灯管均一光照明構造は、複数のＬＥＤ灯が発射する光を、光拡散板を介して被照射物体上に均一に分散照射し、且つ眩光及びＬＥＤ灯管を直視した時に生じる不快感を回避することができる。
【考案を実施するための最良の形態】
【０００８】
本考案の詳細な技術的内容に関して、図面を合わせて以下に説明するが、図面は参考及び説明用に提供するものであって、本考案に対して制限を加えるものではない。
【０００９】
図２及び図３において、本考案が提供するＬＥＤ灯管均一光照明構造は、透光性を有するプラスチックから構成される管体１０と、該管体１０内部に収容設置され、照射面２１とヒートシンク面２２を有する回路板２０と、該回路板２０の照射面２１に間隔を置いて配列して敷設され、該回路板２０と電気接続する複数のＬＥＤ灯３０と、該回路板２０の照射面２１及び該管体１０が形成する収容空間に設置される光拡散板４０からなり、該光拡散板４０の１つの形成方法は、透光性の高い膜片上に微小な拡散粒子を塗布し、光線を拡散粒子に透過させて光拡散の効果を発生させ、ＬＥＤ灯３０の点光源を面光源に変換し、均一な光線照明の効果を達成する。本実施例中の該光拡散板４０は、弾性体であり、且つ平板状である。
【００１０】
該管体１０の両端は、密閉または開放構造とし、管体１０が開放構造とするとき、管体１０の２つの末端にラッチ１２を設け、導体接続スリーブ５０をスライド可能に套設し、導体接続スリーブ５０の側面に該ラッチ１２と相互に結合するラッチ溝５２を対応して設ける。該２つの導体接続スリーブ５０は、該回路板２０と電気的に接続し、導体接続スリーブ５０の端面に導電端子５１を凸設し、該導電端子５１は、電灯ソケットに挿入させ、ＬＥＤ灯管５０が必要な電力を供給し、また、該管体１０は、回路板２０のヒートシンク面２２を覆う両端面にそれぞれ複数のヒートシンク孔１１を開設する。
【００１１】
図４及び図５は、本考案のＬＥＤ灯管均一光照明構造の組み合わせ断面説明図である。光拡散板４０を弾性的に湾曲し、弧状にした後、該管体１０内に置き、配置した後、光拡散板４０自身の弾発力により管体１０内の壁面に係止する。該管体１０内の壁面に溝１３を設け、光拡散板４０を管体１０の内壁に嵌合させて回路板２０を管体１０内に収容し、回路板２０の照射面２１上に回路板２０と電気接続する複数のＬＥＤ灯３０を、間隔を置いて配列して敷設し、該回路板２０は、照射面２１が該拡散板４０上方を覆い、即ち、光拡散板４０は、回路板２０の照射面２１と管体１０が形成する収容空間内に設置され、最後に、管体１０の両端のラッチ１２は、それぞれ導体接続スリーブ５０のラッチ溝５２に套設し、導体接続スリーブ５０を管体１０の末端にスライド可能に套設し、導体接続スリーブ５０端面に突出する導電端子５１によりＬＥＤ灯管に必要な電力を供給する。
【００１２】
図６は、本考案のＬＥＤ灯管均一光照明構造の使用説明図である。本考案のＬＥＤ灯管は、上板の電灯ソケット８０内に取り付けられ、電灯ソケット８０内に挿入ソケット８１を設け、管体１０両端の導体接合スリーブ５０の導電端子５１は、それぞれ挿入ソケット８１中に挿入され、電源を導通させて回路板２０の照射面２１のＬＥＤ灯３０を発光させ、ＬＥＤ灯３０が発出する光が下方の光拡散板４０を介して、光線を被照射物体上に均一に分散照射させ、且つ光拡散板４０を介して光線を和らげ、使用者の眼がＬＥＤ灯管を直視する時、眼への刺激及び眩光により生じる不快感を回避することができる。また、管体１０両端の導体接合スリーブ５０は、スライド可能に套設されるため導体接合スリーブ５０を管体１０末端から除去すれば、使用者自身が光拡散板４０を取り出すことができ、使用上の便利性及び実用性を向上させることができる。
【００１３】
図７は、本考案のＬＥＤ灯管均一光照明構造の第２実施例である。本実施例と第１実施例は、ほぼ同一であり、その異なる箇所は、光拡散板４０は、半円筒状を呈し、該光拡散板４０は、管体１０と回路板２０の照射面２１に囲まれる管体１０内壁に貼付される。従って、本考案は、光拡散板４０をＬＥＤ灯管の管体１０内に設置し、回路板２０に敷設したＬＥＤ灯３０が発出する光を下方の光拡散板４０を介して、被照射物体上に均一に分散照射することができ、且つ光拡散板４０を経た光線が和らげられ、眩光を回避することができる。
【００１４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１５】
【図１】従来のＬＥＤ灯管である。
【図２】本考案の立体組み合わせ説明図である。
【図３】本考案の立体外観図である。
【図４】本考案の組み合わせ断面説明図である。
【図５】本考案の他側の組み合わせ断面説明図である。
【図６】本考案の使用説明図である。
【図７】本考案の第２実施例の組み合わせ断面説明図である。
【符号の説明】
【００１６】
１０ａ  透光管体
２０ａ  回路板
３０ａ  ＬＥＤ灯
４０ａ  導体接合スリーブ
４０１ａ  導電端子
１０  管体
１１  ヒートシンク孔
１２  ラッチ
２０  回路板
２１  照射面
２２  ヒートシンク面
３０  ＬＥＤ灯
４０  光拡散板
５０  導体接合スリーブ
５１  導電端子
５２  ラッチ溝
８０  電灯ソケット
８１  挿入ソケット
【図１】
0003144929.tif 000003
【図２】
0003144929.tif 000004
【図３】
0003144929.tif 000005
【図４】
0003144929.tif 000006
【図５】
0003144929.tif 000007
【図６】
0003144929.tif 000008
【図７】
0003144929.tif 000009